(57)【要約】      （修正有）【課題】容易な操作、低コスト及び有効なまたは高い安全機能を有したチャイルドレジスタンス対応のシガレットライターを提供する。【解決手段】シールド１、ブラケット２、火花ホイール３、火打石４、火打石バネ５、２つの側部ホイール６、ガスタンク７、タンクカバー８、ノズル９、炎調節器１０、ガス開放レバー１１及びガスバルブ１２を備えている。側部ホイール６の外径は、上記火花ホイール３の外径とほぼ同等である。上記側部ホイール６の外面は、滑らかである。かかる構成により、不測の操作又は、子供による操作を防止できる、シガレットライターを形成する。【選択図】図１
0003160552.tif 000002
【実用新案登録請求の範囲】
【請求項１】
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）が、２つの軸であって一方が当該ガス開放レバーの中央部の両側にある２つの軸を有しており、
前記軸が、前記ブラケット（２）の穴部に嵌合しており、
前記ガス開放レバー（１１）の前部が、前記ノズル（９）を覆うようにまたは前記ノズル（９）を挟み込んでおり、
前記ブラケット（２）が、前記タンクカバー（８）の頂部に固定されまたは配置されており、
前記シールド（１）が、前記ブラケット（２）を介して当該ライターの前記本体部の頂部に固定されまたは配置されており、
前記火花ホイール（３）が、前記火打石（４）の頂部に接触しており、
前記火打石バネ（５）が、前記ブラケット（２）の穴部に固定されまたは配置され、前記火打石（４）の底部に当接して係合しており、
前記側部ホイール（６）それぞれの一方側が、前記火花ホイール（３）に当接して固定されまたは配置されており、他方側が、前記ブラケット（２）に対して回転可能に取り付けられており、
前記側部ホイール（６）と前記火花ホイール（３）とが、共通の回転軸を有しており、
前記側部ホイール（６）の外径が、前記火花ホイール（３）の外径と同等または前記火花ホイール（３）の外径未満であることを特徴とするシガレットライター。
【請求項２】
前記側部ホイール（６）それぞれの外面が、滑らかであることを特徴とする請求項１に記載のシガレットライター。
【請求項３】
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）が、２つの軸であって一方が両側から延在する２つの軸を有しており、
前記軸が、前記ブラケット（２）の穴部に嵌合しており、
前記ガス開放レバー（１１）が、前記軸回りで回転するように構成されており、
前記ガス開放レバー（１１）の前部が、前記ノズル（９）を覆うようにまたは前記ノズル（９）を挟み込んでおり、
前記ブラケット（２）が、前記タンクカバー（８）の頂部に固定されまたは配置されており、
前記シールド（１）が、前記ブラケット（２）を介して当該ライターの前記本体部の頂部に固定されまたは配置されており、
前記火花ホイール（３）が、前記火打石（４）の頂部に接触しており、
前記火打石バネ（５）が、前記ブラケット（２）の穴部に固定されまたは配置され、前記火打石（４）の底部に当接して係合しており、
前記側部ホイール（６）それぞれの一方側が、前記火花ホイール（３）に当接して固定されまたは配置されており、他方側が、前記ブラケット（２）に対して回転可能に取り付けられており、
前記側部ホイール（６）と前記火花ホイール（３）とが、共通の回転軸を有しており、
前記ガス開放レバー（１１）の前記２軸が、前記ノズル（９）と係合する当該ガス開放レバーの位置（１１Ｃ）よりも当該ガス開放レバー（１１）の親指を係合可能な端部（１１Ｄ）に近接した点（１１Ｂ）に設定されていることを特徴とするシガレットライター。
【請求項４】
前記側部ホイール（６）それぞれの外面が、滑らかであることを特徴とする請求項３に記載のシガレットライター。
【請求項５】
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）の前部が、第１位置（１１Ｃ）において前記ノズル（９）を覆うようにまたは前記ノズル（９）を挟み込んでおり、
前記ブラケットは、前記ガス開放レバー（１１）の支点位置（１１Ｂ）において突起部または支点部を有しており、
前記ガス開放レバー（１１）が、前記支点位置（１１Ｂ）回りで回転するように構成されており、
前記ブラケット（２）の前記突起部または支点部が、前記ノズル（９）と係合する前記ガス開放レバーの前記第１位置（１１Ｃ）よりも前記ガス開放レバー（１１）の親指を係合可能な端部（１１Ｄ）に近接する位置（１１Ｂ）に設定されていることを特徴とするシガレットライター。
【請求項６】
前記側部ホイール（６）それぞれの外面が、滑らかであることを特徴とする請求項５に記載のシガレットライター。
【請求項７】
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）が、２つの軸であって一方が当該ガス開放レバーの中央部の両側にある２つの軸を有しており、
前記軸が、前記ブラケット（２）の穴部に嵌合しており、
前記ガス開放レバー（１１）の前部が、前記ノズル（９）を覆うようにまたは前記ノズル（９）を挟み込んでおり、
前記ブラケット（２）が、前記タンクカバー（８）の頂部に固定されまたは配置されており、
前記シールド（１）が、前記ブラケット（２）を介して当該ライターの前記本体部の頂部に固定されまたは配置されており、
前記火花ホイール（３）が、前記火打石（４）の頂部に接触しており、
前記火打石バネ（５）が、前記ブラケット（２）の穴部に固定されまたは配置され、前記火打石（４）の底部に当接して係合しており、
前記側部ホイール（６）それぞれの一方側が、前記火花ホイール（３）に当接して固定されまたは配置されており、他方側が、前記ブラケット（２）に対して回転可能に取り付けられており、
前記側部ホイール（６）と前記火花ホイール（３）とが、共通の回転軸を有しており、
前記側部ホイール（６）の外径が、前記火花ホイール（３）の外径と同等または前記火花ホイール（３）の外径未満であり、
前記ガス開放レバー（１１）の２つの前記軸が、前記ノズル（９）と係合する当該ガス開放レバーの位置（１１Ｂ）よりも当該ガス開放レバー（１１）の親指を係合可能な端部（１１Ｄ）に近接した点（１１Ｂ）に設定されていることを特徴とするシガレットライター。
【請求項８】
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）の前部が、第１位置（１１Ｃ）において前記ノズル（９）を覆うようにまたは前記ノズル（９）を挟み込んでおり、
前記ブラケットは、前記ガス開放レバー（１１）の支点位置（１１Ｂ）において突起部または支点部を有しており、
前記ガス開放レバー（１１）が、前記支点位置（１１Ｂ）回りで回転するように構成されており、
前記ブラケット（２）の前記突起部または支点部が、前記ノズル（９）と係合する前記ガス開放レバーの前記第１位置（１１Ｃ）よりも前記ガス開放レバー（１１）の親指を係合可能な端部（１１Ｄ）に近接する位置（１１Ｂ）に設定されており、
前記側部ホイール（６）の外径が、前記火花ホイール（３）の外径と同等または前記火花ホイール（３）の外径未満であることを特徴とするシガレットライター。
【請求項９】
前記側部ホイール（６）それぞれの外面が、滑らかであることを特徴とする請求項８に記載のシガレットライター。
【考案の詳細な説明】
【技術分野】
【０００１】
本考案は、チャイルドレジスタンス（Child Resistance、以下、ＣＲと称する）を有するシガレットライターに関する。
【背景技術】
【０００２】
液化石油ガス（ＬＰＧ）ライターは、一般的な着火デバイスである。子供、特に５歳未満の子供が誤ってライターを使用して偶然に火を起こすることを防止するため、米国、カナダ、オーストラリア及びヨーロッパの国々のような多くの国は、市場で販売されているライター製品すべてがある程度のチャイルドレジスタンスを有しなければならないことを規制している。これは、このような偶然の出来事が発生することを最小化する。このような偶然の出来事が発生することを最小化することも、考案の目的である。
【０００３】
従来のライターと比較して、本考案は、容易な操作、低コスト、高い安全性のような有利点を有する。
【考案の概要】
【考案が解決しようとする課題】
【０００４】
ＣＲ機能を有するライターは、従来既知であるが、本考案は、ＣＲ機能を有するさらなるライターを提供し、また、本考案は、容易な操作、低コスト及び有効なまたは高い安全機能を提供する。
【課題を解決するための手段】
【０００５】
本考案は、第１技術的態様において、ライターを提供しており、このライターは、本体部と、シールドと、バルブ組立体と、ブラケットと、火花ホイールと、火打石と、火打石バネと、２つの側部ホイールと、を備えている。上記本体部は、ガスタンクと、タンクカバーと、を備えている。上記バルブ組立体は、ノズルと、炎調節器と、ガス開放レバーと、を備えている。タンクカバーは、タンクの頂部に固定されている。ガス開放レバーは、２つの軸であって一方がガス開放レバーの中央部の両側にある２つの軸を有しており、軸は、ブラケットに形成された穴部それぞれに嵌合しており、ガス開放レバーは、軸／穴部回りで回転するように構成されている。ガス開放レバーの前部は、ノズルをまたはノズルを覆って挟み込んでいる。ブラケットは、スナップ嵌合取り付けによってタンクカバーの頂部に固定されている。シールドは、ブラケットとのスナップ嵌合取り付けによってライター本体部の頂部に固定されている。火花ホイールは、火打石の頂部に接触しており、火打石バネは、ブラケットの穴部に嵌合されて火打石の底部と接触している。側部ホイールそれぞれの一方側は、例えば火花ホイールの穴部において火花ホイールに固定されており、他方側は、ブラケットの穴部に回転可能に取り付けられている。側部ホイールと火花ホイールとは、同一の単一または複数の回転軸を有している。側部ホイールの外径は、火花ホイールの外径とほぼ同等または火花ホイールの外径未満である。側部ホイールの外面は、滑らかである。
【０００６】
しかしながら、側部ホイールの外径は、好ましくは火花ホイールの外径未満である。
【０００７】
本考案は、別の技術的態様において、ライターを提供しており、このライターは、本体部と、シールドと、バルブ組立体と、ブラケットと、火花ホイールと、火打石と、火打石バネと、２つの側部ホイールと、を備えている。本体部は、ガスタンクと、タンクカバーと、を備えている。バルブ組立体は、ノズルと、炎調節器と、ガス開放レバーと、を備えている。タンクカバーは、タンクの頂部に固定されている。ガス開放レバーの前部は、ノズルをまたはノズルを覆って挟み込んでいる。ブラケットは、スナップ嵌合取り付けによってタンクカバーの頂部に固定されている。シールドは、ブラケットとのスナップ嵌合取り付けによってライター本体部の頂部に固定されている。火花ホイールは、火打石の頂部に接触しており、火打石バネは、ブラケットの穴部に嵌合されて火打石の底部と接触している。側部ホイールそれぞれの一方側は、例えば上記火花ホイールの穴部において火花ホイールに固定されており、他方側は、ブラケットの穴部に回転可能に取り付けられている。側部ホイールと火花ホイールとは、同一の単一または複数の回転軸を有している。ガス開放レバーの２つの軸は、ガス開放レバーの後部近傍の両側に取り付けられている。
【０００８】
側部ホイールの外面は、好ましくは滑らかである。
【０００９】
ライターを点火させるため、火花ホイールは、回転されて火打石によってある密度で火花を発生させなければならず、また、レバーは、押し下げられて同時にガス燃料を放出する。そして、火花は、ガス燃料を点火して炎を形成する。指が火花ホイールを回転させている場合には、レバーが同時に押し下げられず、または、レバーを押し下げてガスバルブを開くために十分な力が掛かっていない場合には、点火が得られない。したがって、本考案は、点火を実現する困難性を増大させる機能を果たし、これによって、ライターのチャイルドレジスタンスの安全性を高める。
【００１０】
本考案において、側部ホイールの外径が上記火花ホイールの外径とほぼ同等または火花ホイールの外径未満であるため、また、側部ホイールの外径が好ましくは従来技術のライターにおける側部ホイールの外径未満であるため、さらに、側部ホイールの外面が好ましくは滑らかであるため、火花ホイールを回転させるために上記側部ホイールと親指との間に必要な摩擦力が増大し、これにより、点火に十分な力を発生させるために火花ホイールと側部ホイールとを押し下げるためにより大きな力が必要になる。
【００１１】
さらに、ガス開放レバーの軸は、好ましくはガス開放レバーの後部近傍において両側に取り付けられている。ライターのガス開放レバーは、テコである。ガス開放レバーの軸は、支点部である。レバーの前部は、上記ガスバルブの上記ノズルを挟み込んでいる一方、後部は、指のための力受面となっている。指が力受面を押し下げると、ガス開放レバーの後部は、持ち上げられ、その結果、バルブが開かれて、ガスが開放される。バルブを開く力が一定であるため、テコの原理にしたがって、レバーの支点を後部に移動させることによって、増大した指の力がガスバルブを開くために必要になってくる。したがって、本考案は、好ましくはこの原理を用いる。当然ながら従来技術のライターがライターの支点を一般的にレバーの中央としている一方、本考案におけるレバーの支点が後方に若干移動されており、ノズルを持ち上げるために必要な指の圧力、すなわち指の力を増大させている。
【００１２】
大人が意図的に本考案のライターを操作すると、大人の指がより力強いため、大人は、ノズルを持ち上げてバルブを開くためにガス開放レバーを押し下げるのに十分な強さを有しており、その結果、タンクから開放されたガス燃料は、点火される。このため、点火手順は、従来技術のライターと同一である。しかしながら、子供が本考案におけるライターを点火しようとする場合、または大人が無意識にライターを操作する場合、ガス開放レバーを操作してノズルを十分に開く力が不十分である、すなわち圧力が十分でない、または、押し下げ作用が遅すぎるため、ガスがバルブから点火ポイントに供給される前に火花が消える。したがって、点火が達成されず、このため、所望の子供の安全性の増加が実現される。
【００１３】
本考案は、点火に必要な力を増大させることによってその安全性をもたらしており、子供が十分な指の力を上手く掛けることができないため、必要な力は、子供にとってライターを上手く点火させることを困難とする。したがって、本考案は、単純な構造である一方、それにもかかわらず使用時に安全性と通常の使用の利便性とを提供するというその有利点を提供する。
【図面の簡単な説明】
【００１４】
【図１】第１実施形態を示す断面図である。
【図２】図１のＡ−Ａ断面図である。
【図３】第２実施形態を示す断面図である。
【図４】図３のＢ−Ｂ断面図である。
【図５】第３実施形態を示す断面図である。
【図６】図５のＣ−Ｃ断面図である。
【図７】従来技術における火花ホイール及び２つの側部ホイールを備える組立体を示す図である。
【図８】本考案の一態様における火花ホイール及び２つの側部ホイールを備える組立体を示す図である。
【図９】従来技術におけるガス開放レバーを示す図である。
【図１０】本考案の一態様におけるガス開放レバーを示す図である。
【考案を実施するための形態】
【００１５】
［第１実施形態］
まず図１及び図２を参照すると、本考案は、シールド１と、ブラケット２と、火花ホイール３と、火打石４と、火打石バネ５と、２つの側部ホイール６と、本体部と、を備えている。本体部は、ガスタンク７と、タンクカバー８と、バルブ組立体と、を備えている。バルブ組立体は、ノズル９と、炎調節器１０と、ガス開放レバー１１と、ガスバルブと、を備えている。タンクカバー８は、タンク７の頂部に固定されている。ガス開放レバー１１は、２軸を有しており、一方は、ガス開放レバーの中央の両側にある。軸は、ブラケット２の穴部に嵌合されており、ガス開放レバー１１は、軸回りで回転する。ガス開放レバー１１の前部は、ノズル９をまたはノズル９を覆って挟み込んでいる。ブラケット２は、スナップ嵌合取り付けによってタンクカバー８の頂部に固定されまたは配置されている。シールド１は、ブラケット２とのスナップ嵌合取り付けによってライター本体部の頂部に固定されまたは配置されている。火花ホイール３は、火打石４の頂部に接触しており、火打石バネ５は、ブラケット２の穴部に固定されまたは配置され、火打石４の底部を接触支持している。側部ホイール６それぞれの一側部は、火花ホイール３の穴部に固定されており、他側部は、ブラケット２の穴部に回転可能に取り付けられている。側部ホイール６と火花ホイール３とは、同一の１つまたは複数の回転軸を有する。側部ホイール６の外径は、火花ホイール３の外径とほぼ同等または火花ホイール３の外径未満となっている。
【００１６】
ライターを点灯するため、ユーザは、ライターを保持し、彼または彼女の親指を押し下げて火花ホイール３及び側部ホイール６を回転させる。このため、火打石４は、火花ホイール３によって摩擦されまたは擦られて火花を引き起こす。また、同時に、親指がガス開放レバー１１の端部を押し下げ、その結果、テコの原理にしたがって、ガス開放レバー１１の前部は、ノズル９を持ち上げ、これにより、ガスバルブ１２は、開口してガスを開放する。このため、ガス燃料は、火花と接触してシールド１の上方で点火する。
【００１７】
炎の高さは、炎調節器１０によって調節される。
【００１８】
ガス開放レバー１１の端部に力を掛けることをやめると、ガスバルブ１２は、例えばバルブ自体によって、自動的にバルブ本来の位置に復帰し、このため、バルブを閉塞する。このため、炎は、消える。
【００１９】
本考案では、側部ホイール６の外径が火花ホイール３の外径とほぼ同等または火花ホイール３の外径未満であるため、また、側部ホイール６の外径が従来の典型的なライターにおける側部ホイールの外径未満であるため、そして、側部ホイール６の外面が滑らかであるため、火花ホイール３を回転させるために側部ホイール６と親指との間のより大きな摩擦力が必要となり、同様に、火花ホイール３と側部ホイール６とを押し下げて必要な回転運動を発生させるためにより大きな力が必要となる。
【００２０】
大人が本考案のライターを意図的に操作すると、大人が子供よりも力強いため、大人は、必要な火花を形成するために上記側部ホイール６及び上記火花ホイール３を押し下げて回転させ、そして点火のためにタンク７からガス燃料を開放させるガスバルブ１２を開口させるのに十分な力を有している。これにより、点火手順は、従来技術のライターに見られる手順と同じである。しかしながら、子供がライターを点火しようとする場合に、または大人が無意識にライターを操作した場合に、上記火花ホイール３を回転させて火花を形成するのに十分な力が掛からず、または火花がライターを点火するのに十分な密度を有していない。点火は、ほとんど発生しない。したがって、本考案は、特に火花を引き起こすこととガス燃料を開放することとの双方への力が不足していることにより、さらなる安全性の目的を実現させる。
【００２１】
本考案は、点火させるために必要な力を増大させることによって、この安全性のレベルを上手く提供している。これにより、同時に火花を形成してガス燃料を開放するために十分な力を子供がライターに迅速に掛けられないため、子供がライターを上手く点火できないようにし、または少なくとも子供にとって点火をより困難とする。この有利点は、単純な構造によって達成される。したがって、本考案は、使用時の安全性及び操作の利便性の双方を提供する。
【００２２】
［第２実施形態］
次に図３及び図４を参照すると、本考案は、シールド１と、ブラケット２と、火花ホイール３と、火打石４と、火打石バネ５と、２つの側部ホイール６と、本体部と、を備えている。本体部は、ガスタンク７と、タンクカバー８と、バルブ組立体と、を備えている。バルブ組立体は、ノズル９と、炎調節器１０と、ガス開放レバー１１と、ガスバルブ１２と、とを備えている。タンクカバー８は、タンク７の頂部に固定されている。ガス開放レバー１１の前部は、参照符号１１Ｃによって示される位置、すなわちガス開放レバー１１の前部の自由端近傍かつノズル９のフランジ部の下方でノズル９を挟み込んでいる。ガス開放レバー１１は、２軸を有しており、一方は、ガス開放レバーの後部１１Ｂ、すなわちレバー１１の中央でないところの両側にある。軸それぞれは、ブラケット２の穴部に嵌合しており、このため、ガス開放レバー１１は、軸、すなわち参照符号１１Ｂによって示される位置回りで回転する。ガス開放レバー１１の端部１１Ｄまたは端部１１Ｄ近傍は、ユーザの親指がレバーを押し下げてガスバルブ１２を開く領域となっている。位置１１Ｂと１１Ｄとの間の距離と位置１１Ｂと１１Ｃとの間の距離との比は、約１：１．３である、または、比は、それ未満であってもよい。従来技術、すなわち一般的に使用されている従来のライターにおいて、距離の比は、主として約１：１である。位置１１Ｂと１１Ｄとの間の距離を位置１１Ｂと１１Ｃとの間の距離よりも小さく保つことは、必要な構成である。
【００２３】
ブラケット２は、スナップ嵌合取り付けによってタンクカバー８の頂部に固定されまたは配置されている。シールド１は、ブラケット２とのスナップ嵌合取り付けによってライター本体部の頂部に固定されまたは配置されている。火花ホイール３は、火打石４の頂部と接触している。火打石バネ５は、ブラケット２の穴部に固定されまたは配置されており、火打石バネは、火打石４の底部に当接支持している。側部ホイール６それぞれの一方側は、火花ホイール３の穴部に固定されまたは配置されており、他方側は、ブラケット２の穴部に回転可能に取り付けられている。側部ホイール６と火花ホイール３とは、同一の単一または複数の回転軸を有している。側部ホイール６の外径は、火花ホイール３の外径とほぼ同等または火花ホイール３の外径未満となっている。点火工程は、第１実施形態と同一である。本考案において、レバー１１の軸は、点１１Ｂ、すなわち上記ガス開放レバー１１の端部１１Ｄ（親指と係合する端部）に近接した位置に設定されている。位置１１Ｂと１１Ｄとの間の距離と位置１１Ｂと１１Ｃとの間の距離との比は、好ましくは１：１．３またはそれ未満である一方、大部分の従来技術のライターについて、比は、約１：１（または１：ｎであって「ｎ」が１未満）である。この構成により、ノズルを上昇させる力が最も一般的な従来技術のライターに必要な力の多分１．３倍となる。このため、本考案の構成は、従来技術の構成よりも安全である。
【００２４】
［第３実施形態］
次に図５及び図６を参照すると、本考案は、本考案がシールド１とブラケット２と火花ホイール３と火打石４と火打石バネ５と２つの側部ホイールと本体部とを備えている点で第２実施形態と同様である。本体部は、ガスタンク７と、タンクカバー８と、バルブ組立体と、を備えている。バルブ組立体は、ノズル９と、炎調節器１０と、ガス開放レバー１１と、ガスバルブ１２と、を備えている。タンクカバー８は、タンク７の頂部に固定されている。ガス開放レバー１１の前部は、符号１１Ｃにおいてノズル９をまたはノズル９を覆うように挟み込んでいる。ブラケットは、ガス開放レバー１１の位置１１Ｂに突起部または支点部を有しており、ガス開放レバー１１は、その位置１１Ｂ回りで回転可能に構成されている。ガス開放レバー１１の隣接する端部１１Ｄにおいて、親指は、レバーを押し下げてガスバルブ１２を開口させるために使用される。位置１１Ｂと１１Ｄとの間の距離と位置１１Ｂと１１Ｃとの間の距離との比は、好ましくは、１：１．３であり、または比は、それ未満であってもよい。これは、約１：１でありより一般的には１：ｎ（「ｎ」が１未満の値）に過ぎない一般的に入手可能な従来技術のライターと対照的である。
【００２５】
第３実施形態におけるチャイルドレジスタンスの原理及び点火工程は、軸をレバーの側部に設けるというより支点をレバーの下方に設けていても、第２実施形態と同様である。第２実施形態におけるレバーの２軸についてもたらされる上記比を変更するような寸法の変形例自体は、第３実施形態における支点にも同様に適用される一方、第１距離は、第２距離よりも短いままである。
【００２６】
また、第１実施形態の機能は、第２実施形態または第３実施形態に規定してもよく、その逆も可能である。
【００２７】
標準的な従来技術の火花ホイール３と本考案の好ましい火花ホイールとの間の例示的な比較を図７及び図８に示す。同様に、本考案におけるレバーと標準的な従来技術のレバーとの差異を図９及び図１０に示す。図７の構成は、従来技術の火花ホイールにおける標準的な例である。火花ホイールの直径は、６．７ｍｍであり、側部ホイールに見込まれる直径の範囲は、７．５ｍｍから９．５ｍｍである。図８について、図８は、本考案に見込まれる火花ホイール組立体の例である。火花ホイールの直径は、同様に６．７ｍｍである。しかしながら、側部ホイールに見込まれる直径の範囲は、おそらく６ｍｍから７．５ｍｍである。図９について、図９は、標準的な従来技術のガス開放レバーの一例である。これらライターの寸法及び形状が標準的な従来技術のライターと異なるため（レバーが同様に異なる寸法及び形状を有する）ため、これは、図３から図６のライターに直接適用できない。そうは言うものの、ライターの回動軸の両側における長さに関するライターの標準的な比の一例、ここでは１０．９：７（すなわち大体１：０．６４）として使用可能である。一方、図１０は、本考案における構成を示している。この構成は、８．９：９、すなわち大体１：１．０１の比を有している。
【００２８】
本考案は、単なる例として上で規定されている。細部にわたる改良は、本明細書に添付した特許請求の範囲によって規定された考案の範囲内で本考案になされる。
【符号の説明】
【００２９】
１  シールド、２  ブラケット、３  火花ホイール、４  火打石、５  火打石バネ、６  側部ホイール、７  ガスタンク、８  タンクカバー、９  ノズル、１０  炎調節器、１１  ガス開放レバー、１１Ｂ  点，位置，支点位置、１１Ｃ  位置，第１位置、１１Ｄ  端部、１２  ガスバルブ
【図１】
0003160552.tif 000003
【図２】
0003160552.tif 000004
【図３】
0003160552.tif 000005
【図４】
0003160552.tif 000006
【図５】
0003160552.tif 000007
【図６】
0003160552.tif 000008
【図７】
0003160552.tif 000009
【図８】
0003160552.tif 000010
【図９】
0003160552.tif 000011
【図１０】
0003160552.tif 000012
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
シガレットライターであって、
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）が、２つの軸であって一方が当該ガス開放レバーの中央部の両側にある２つの軸を有しており、
前記軸が、前記ブラケット（２）の穴部に嵌合しており、
前記ガス開放レバー（１１）の前部が、前記ノズル（９）を覆うようにまたは前記ノズル（９）を挟み込んでおり、
前記ブラケット（２）が、前記タンクカバー（８）の頂部に固定されまたは配置されており、
前記シールド（１）が、前記ブラケット（２）を介して当該シガレットライターの前記本体部の頂部に固定されまたは配置されており、
前記火花ホイール（３）が、前記火打石（４）の頂部に接触しており、
前記火打石バネ（５）が、前記ブラケット（２）の穴部に固定されまたは配置され、前記火打石（４）の底部に当接して係合しており、
前記側部ホイール（６）それぞれの一方側が、前記火花ホイール（３）に当接して固定されまたは配置されており、他方側が、前記ブラケット（２）に対して回転可能に取り付けられており、
前記側部ホイール（６）と前記火花ホイール（３）とが、共通の回転軸を有しており、
前記側部ホイール（６）の外径が、前記火花ホイール（３）の外径と同等または前記火花ホイール（３）の外径未満であることを特徴とするシガレットライター。
【請求項２】
前記側部ホイール（６）それぞれの外面が、滑らかであることを特徴とする請求項１に記載のシガレットライター。
【請求項３】
シガレットライターであって、
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）が、２つの軸であって一方が両側から延在する２つの軸を有しており、
前記軸が、前記ブラケット（２）の穴部に嵌合しており、
前記ガス開放レバー（１１）が、前記軸回りで回転するように構成されており、
前記ガス開放レバー（１１）の前部が、前記ノズル（９）を覆うようにまたは前記ノズル（９）を挟み込んでおり、
前記ブラケット（２）が、前記タンクカバー（８）の頂部に固定されまたは配置されており、
前記シールド（１）が、前記ブラケット（２）を介して当該シガレットライターの前記本体部の頂部に固定されまたは配置されており、
前記火花ホイール（３）が、前記火打石（４）の頂部に接触しており、
前記火打石バネ（５）が、前記ブラケット（２）の穴部に固定されまたは配置され、前記火打石（４）の底部に当接して係合しており、
前記側部ホイール（６）それぞれの一方側が、前記火花ホイール（３）に当接して固定されまたは配置されており、他方側が、前記ブラケット（２）に対して回転可能に取り付けられており、
前記側部ホイール（６）と前記火花ホイール（３）とが、共通の回転軸を有しており、
前記ガス開放レバー（１１）の前記２軸が、前記ノズル（９）と係合する当該ガス開放レバーの位置（１１Ｃ）よりも当該ガス開放レバー（１１）の親指を係合可能な端部（１１Ｄ）に近接した点（１１Ｂ）に設定されていることを特徴とするシガレットライター。
【請求項４】
前記側部ホイール（６）それぞれの外面が、滑らかであることを特徴とする請求項３に記載のシガレットライター。
【請求項５】
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）の前部が、第１位置（１１Ｃ）において前記ノズル（９）を覆うようにまたは前記ノズル（９）を挟み込んでおり、
前記ブラケットは、前記ガス開放レバー（１１）の支点位置（１１Ｂ）において突起部または支点部を有しており、
前記ガス開放レバー（１１）が、前記支点位置（１１Ｂ）回りで回転するように構成されており、
前記ブラケット（２）の前記突起部または支点部が、前記ノズル（９）と係合する前記ガス開放レバーの前記第１位置（１１Ｃ）よりも前記ガス開放レバー（１１）の親指を係合可能な端部（１１Ｄ）に近接する位置（１１Ｂ）に設定されていることを特徴とするシガレットライター。
【請求項６】
前記側部ホイール（６）それぞれの外面が、滑らかであることを特徴とする請求項５に記載のシガレットライター。
【請求項７】
シガレットライターであって、
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）が、２つの軸であって一方が当該ガス開放レバーの中央部の両側にある２つの軸を有しており、
前記軸が、前記ブラケット（２）の穴部に嵌合しており、
前記ガス開放レバー（１１）の前部が、前記ノズル（９）を覆うようにまたは前記ノズル（９）を挟み込んでおり、
前記ブラケット（２）が、前記タンクカバー（８）の頂部に固定されまたは配置されており、
前記シールド（１）が、前記ブラケット（２）を介して当該シガレットライターの前記本体部の頂部に固定されまたは配置されており、
前記火花ホイール（３）が、前記火打石（４）の頂部に接触しており、
前記火打石バネ（５）が、前記ブラケット（２）の穴部に固定されまたは配置され、前記火打石（４）の底部に当接して係合しており、
前記側部ホイール（６）それぞれの一方側が、前記火花ホイール（３）に当接して固定されまたは配置されており、他方側が、前記ブラケット（２）に対して回転可能に取り付けられており、
前記側部ホイール（６）と前記火花ホイール（３）とが、共通の回転軸を有しており、
前記側部ホイール（６）の外径が、前記火花ホイール（３）の外径と同等または前記火花ホイール（３）の外径未満であり、
前記ガス開放レバー（１１）の２つの前記軸が、前記ノズル（９）と係合する当該ガス開放レバーの位置（１１Ｂ）よりも当該ガス開放レバー（１１）の親指を係合可能な端部（１１Ｄ）に近接した点（１１Ｂ）に設定されていることを特徴とするシガレットライター。
【請求項８】
シールド（１）と、ブラケット（２）と、火花ホイール（３）と、火打石（４）と、火打石バネ（５）と、２つの側部ホイール（６）と、本体部と、を備え、
前記本体部が、ガスタンク（７）と、タンクカバー（８）と、バルブ組立体と、を備え、
前記バルブ組立体が、ノズル（９）と、炎調節器（１０）と、ガス開放レバー（１１）と、ガスバルブと、を備え、
前記タンクカバー（８）が、前記タンク（７）の頂部に固定されまたは配置されており、
前記ガス開放レバー（１１）の前部が、第１位置（１１Ｃ）において前記ノズル（９）を覆うようにまたは前記ノズル（９）を挟み込んでおり、
前記ブラケットは、前記ガス開放レバー（１１）の支点位置（１１Ｂ）において突起部または支点部を有しており、
前記ガス開放レバー（１１）が、前記支点位置（１１Ｂ）回りで回転するように構成されており、
前記ブラケット（２）の前記突起部または支点部が、前記ノズル（９）と係合する前記ガス開放レバーの前記第１位置（１１Ｃ）よりも前記ガス開放レバー（１１）の親指を係合可能な端部（１１Ｄ）に近接する位置（１１Ｂ）に設定されており、
前記側部ホイール（６）の外径が、前記火花ホイール（３）の外径と同等または前記火花ホイール（３）の外径未満であることを特徴とするシガレットライター。
【請求項９】
前記側部ホイール（６）それぞれの外面が、滑らかであることを特徴とする請求項８に記載のシガレットライター。